(57)【要約】      （修正有）【課題】膝の痛みを、無くし、リハビリは無くし、自然体に過ごすことが出来るサポーターギアーを提供する。【解決手段】布、ナイロン、ビニイル、で内径３０mmの袋状のベルトをこしらえ袋状の中に磁石を入れ、膝の後はゴム二重のベルトで止める。肌に磁石が触れなく、下着の上からでも磁石の磁場は効く。【選択図】図１
0003108655.tif 000002
【実用新案登録請求の範囲】
【請求項１】
膝の痛みは人には解らない辛さです。膝の痛みは此の様にして、解決致しました。（図１）３の磁石（異方性）３０φ×５mmの磁石、をＮ、Ｓ、の表面を膝の関節の中心の辺りに（下着を含む）磁石を張りつけ、左右の足を（図１）の３の磁石約１７０mm位の間を置いて、磁石の反発を利用してショックアブソ−バの代わりして膝の痛みを軟らげます。
【請求項２】
（図１）３は磁石は磁力の引き付ける力は合い対する位置に磁場が有れば（異方性）で有る限り磁力はエネルギ−は倍の力が有ります。（物理学参）（図２）７ゴムバンドは二重ゴムバンドが的等と思います。何れ、市販品で、で有ります、
【請求項３】
足の右左の（図１）３ の磁石は（異方性）で表面はＳ、Ｎを膝り皮膚、及び関節に近い場称に張り付け、バンドは布かナイロン、ビニイル製で磁石が内部に入るバンドを作り、ゴムバンドで膝に取り付け此れを一つの本バンドにする。
【請求項４】
前記述べた様に本バンドは（図１）の９は痛みの激痛の人、９の（磁石、異方性、等方性、）を自分の体に合った磁石を選び（図１）９は異方性、であれ、等方性、で有れ、此の方法がギア−方式と申します。磁力で生まれた磁場で関節全体を磁場のエネルギ−で膝の関節を包み、痛みを、軟らぎます。石の交換に要する時間は約２〜３秒位と思って下さい。
【考案の詳細な説明】
【技術分野】
【０００１】
本考案の所思は関節の痛みは国民病の一つで特に、膝の痛みは、高齢に成ると、多くの人は、通る道です。
【背景技術】
【０００２】
膝の痛さは関節の近くの水を注射で水を抜くのは非常に痛い思いをしていました。人に余つては、膝の痛みは通り越して膝の関節の下まで、痛く成ります。決して手術でなく、痛みを軟らぎます。
【考案の開示】
【考案が解決しようとする課題】
【０００３】
本考案は痛さを軟らぎ、変形性膝関節症で終わる事は私は耐えがたい。決して病を治す為でなく、病から立直る為の方法です。
【課題を解決するための手段】
【０００４】
磁石で複数の人に膝の痛みを軟らげる事が出来る事が幸せと思います。但し、磁石は異方性、等方性を上手に使い分ける事が肝心です。
【考案の効果】
【０００５】
装着も３秒〜４秒でギア−もチェンヂも２秒位で、約９０％の確立が、有ります。
【考案を実施するための最良の形態】
【０００６】
布、ナイロン、ビニイル、で内径３０mmの袋状のベルトをこしらえ袋状の中に磁石を入れ、膝の後はゴム二重のベルトで止める。
肌に磁石が触れなく、下着の上からでも磁石の磁場は効きます。
何度も申し上げますが、磁石は２個（請求項１の、図１の３）で説明致しましたが、御理解願います。２個の磁場でショックアブソバ−の代わりをして繰れます。痛い人はギア−チエンヂしてサポ−トしてくれます。
【実施例１】
【０００７】
本考案は図１、図２、で成り立って居ます。
【産業上の利用可能性】
【０００８】
磁石を使い磁場の反発を利用しての効果は底知れないと思います。そしてギア−を使い即磁石の交換も好く、便利です。
【図面の簡単な説明】
【０００９】
【図１】人の膝辺りに本考案品を装着した図
【図２】図１の側面図
【符号の説明】
【００１０】
（図１）
１  膝（ベルト）
２  関節の一部
３  異方性の磁石×２個    ３〜３も間は磁石の反発の力有り
４  バンド（布製、ナイロン、ビニイル）
５  ↓は足首に至る
９  磁石（等方性、異方性） ９ はスペィア磁石で有ります。特に痛い人は磁石を（異方性）増やす
１０  磁石の反発の印 ９〜９の間は磁石の反発の力
（図２）
１  側面の膝
２  布のバンド 関節の一部
３  磁石（異方性）は  本ベルト側
９  ギア−で付けた磁石
４  バンド布等 （袋状） ゴム バンド二重
５  ↓の印は足首に至る
６  バンド
７  ゴム バンド
８  足
９  ギア−の張り替えた磁石（等方性）図１と同じで痛さは様々で
【図１】
0003108655.tif 000003
【図２】
0003108655.tif 000004
【手続補正書】
【提出日】平成16年4月30日(2004.4.30)
【手続補正１】
【補正対象書類名】実用新案登録請求の範囲
【補正対象項目名】全文
【補正方法】変更
【補正の内容】
【実用新案登録請求の範囲】
【請求項１】
膝の痛みは人には解らない辛さです。膝の痛みは此の様にして、解決致しました。図１の３の磁石、異方性、３０φ×５mmの磁石、をＮ、Ｓ、の表面を膝の関節の中心の辺りに、下着を含む、磁石を張りつけ、左右の足を、図１の３の磁石約１７０mmの間を置いて、磁石の反発を利用してショックアブソ−バの代わりして膝の痛みを軟らげます。
【請求項２】
図１の３は磁石は磁力の引き付ける力は合い対する位置に磁場が有れば、異方性で有る限り磁力はエネルキ−は倍の力が有ります。物理学参照。図２の７ゴムバンドは二重ゴムバンドが適当と思います。何れ、市販品で、で有ります。
【請求項３】
足の右左の図１の３の磁石は、異方性、で表面はＳ、Ｎ、を膝の皮膚、及び関節に近い場称に張り付け、バンドは布かナイロン、ビニイル製で磁石が内部に入るバンドを作り、ゴムバンドで膝に取り付け此れを一つの本バンドにする。
【請求項４】
前記述べた様に本バンドは図１の９は痛みの激痛の人、９の磁石、異方性、等方性、を自分の体に合った磁石を選び図１の９は異方性、であれ、等方性、で有れ、此の方法がギアー方式と申します。磁力で生まれた磁場で関節全体を磁場のエネルギ−膝の関節を包み、痛みを、軟らぎます。石の交換に要する時間は２〜３秒位と思って下さい。
【手続補正書】
【提出日】平成16年7月15日(2004.7.15)
【手続補正１】
【補正対象書類名】実用新案登録請求の範囲
【補正対象項目名】全文
【補正方法】変更
【補正の内容】
【実用新案登録請求の範囲】
【請求項１】
此の考案は膝の痛みは、人には判らない辛さです、膝の関節の天上を右左に１６cm位の間を於いて磁石を並べ  磁石は２個、異方性、を使いＮＳを使い分けひざ側、ふくらはぎ側、の関節の部分に磁石を布、ナイロン等を袋状にして内部に磁石を入れて、磁力の力を使いショクアブソ−バの代わりに使い軟らぎにして痛みを取り除く、ゴムバンドは何方かは、マヂックテイプを使いゴムバンドを止める。
【手続補正書】
【提出日】平成16年9月1日(2004.9.1)
【手続補正１】
【補正対象書類名】実用新案登録請求の範囲
【補正対象項目名】全文
【補正方法】変更
【補正の内容】
【実用新案登録請求の範囲】
【請求項１】
此の考案は膝のサポ−タ磁石 異方性より３０φ×５cmを使い、痛みを解決致しました。膝の関節の外側、内側、に膝関節に近い所に異方性磁石を関節の中央から両端に約８cm〜９cm位の布袋に内側に磁石を納め、但し、体重６０kgの人の場合１６cm位と決め磁石の間隔を、３０φの磁石を外側、内側、に反発のある磁石に永久磁石を備え、磁石の反発を、使い２つの磁石の反発は１，５〜２倍の磁力が有ります、その力を利用して膝の痛みをショックアブソーバで膝の痛みを取りのぞく、膝のサポ−タ異方性、磁石とする。
【手続補正書】
【提出日】平成16年10月12日(2004.10.12)
【手続補正１】
【補正対象書類名】実用新案登録請求の範囲
【補正対象項目名】全文
【補正方法】変更
【補正の内容】
【実用新案登録請求の範囲】
【請求項１】
布、ビニール等の袋状バンドの内部に磁石２個を入れ磁石のＳ、Ｎを確かめ膝を磁石のＳ、Ｎで包みゴムバンドで固定するようにした膝サポータギア−。